【手続補正書】
【提出日】平成21年7月15日(2009.7.15)
【手続補正１】
【補正対象書類名】特許請求の範囲
【補正対象項目名】全文
【補正方法】変更
【補正の内容】
【特許請求の範囲】
【請求項１】
少なくとも一方が透明又は半透明である一対の電極間に挾持された複数の有機化合物層より構成される有機電界発光素子において、
複数の前記有機化合物層の少なくとも一層が、少なくとも１種の正孔輸送性高分子に電子輸送性材料を混合した正孔輸送層であり、複数の前記有機化合物層の少なくとも一層が発光性材料を含有し、
前記正孔輸送性高分子が、一般式（ＩＩ）、（ＩＩＩ）、（ＩＶ）及び（Ｖ）のいずれかで表される繰り返し構造から選択される何れかを含む有機電界発光素子。
【化１】
2007201407.tif 000001
［上記一般式（ＩＩ）、（ＩＩＩ）、（ＩＶ）、及び（Ｖ）中、Ａは、下記一般式（Ｉ-１）又は（Ｉ-２）を表わし、Ｂは−Ｏ−(Ｙ’−Ｏ)ｍ’−、またはＺ’を示し、Ｙ、Ｙ’、Ｚ、及びＺ’は２価の炭化水素基を表わし、ｍ、及びｍ’は１〜５の整数、ｎは０または１を表わし、ｐは５〜５００の整数、ｑは１〜５０００の整数、ｒは１〜３５００の整数をそれぞれ表す。］
【化２】
2007201407.tif 000002
[一般式（Ｉ−１）及び（Ｉ−２）中、Ａｒは置換もしくは未置換の芳香環数１〜１０の１価の多核芳香環、または、置換もしくは未置換の芳香環数２〜１０の１価の縮合芳香環を表し、Ｘは置換または未置換の２価の芳香族基を示し、ｋ、ｌはそれぞれ０又は１を示し、Ｔは炭素数１〜１０の直鎖状の２価の炭化水素基または炭素数１〜１０の分枝状の２価の炭化水素基を示す。]
【請求項２】
少なくとも一方が透明又は半透明である一対の電極間に挾持された複数の有機化合物層より構成される有機電界発光素子において、
複数の前記有機化合物層の少なくとも一層が、少なくとも一種の電子輸送性材料に正孔輸送性高分子を混合した電子輸送層であり、複数の前記有機化合物層の少なくとも一層が発光性材料を含有し、
前記正孔輸送性高分子が、下記一般式（ＩＩ）、（ＩＩＩ）、（ＩＶ）及び（Ｖ）のいずれかで表される繰り返し構造から選択される何れかを含む有機電界発光素子。
【化３】
2007201407.tif 000003
［上記一般式（ＩＩ）、（ＩＩＩ）、（ＩＶ）、及び（Ｖ）中、Ａは、下記一般式（Ｉ-１）又は（Ｉ-２）を表わし、Ｂは−Ｏ−(Ｙ’−Ｏ)ｍ’−、またはＺ’を示し、Ｙ、Ｙ’、Ｚ、及びＺ’は２価の炭化水素基を表わし、ｍ、及びｍ’は１〜５の整数、ｎは０または１を表わし、ｐは５〜５００の整数、ｑは１〜５０００の整数、ｒは１〜３５００の整数をそれぞれ表す。］
【化４】
2007201407.tif 000004
[一般式（Ｉ−１）及び（Ｉ−２）中、Ａｒは置換もしくは未置換の芳香環数１〜１０の１価の多核芳香環、または、置換もしくは未置換の芳香環数２〜１０の１価の縮合芳香環を表し、Ｘは置換または未置換の２価の芳香族基を示し、ｋ、ｌはそれぞれ０又は１を示し、Ｔは炭素数１〜１０の直鎖状の２価の炭化水素基または炭素数１〜１０の分枝状の２価の炭化水素基を示す。]
【請求項３】
前記電子輸送性材料が前記発光性材料であることを特徴とする請求項１に記載の有機電界発光素子。
【請求項４】
前記発光性材料が発光性高分子であることを特徴とする請求項１に記載の有機電界発光素子。
【請求項５】
前記電子輸送性材料が電子輸送性高分子であることを特徴とする請求項１に記載の有機電界発生素子。
【請求項６】
前記発光性材料がπ共役系高分子であることを特徴とする請求項１に記載の有機電界発光素子。
【請求項７】
前記電子輸送性材料が前記発光性材料であることを特徴とする請求項２に記載の有機電界発光素子。
【請求項８】
前記発光性材料が発光性高分子であることを特徴とする請求項２に記載の有機電界発光素子。
【請求項９】
前記電子輸送性材料が電子輸送性高分子であることを特徴とする請求項２に記載の有機電界発生素子。
【請求項１０】
前記発光性材料がπ共役系高分子であることを特徴とする請求項２に記載の有機電界発光素子。
【手続補正２】
【補正対象書類名】明細書
【補正対象項目名】００１０
【補正方法】変更
【補正の内容】
【００１０】
（１）少なくとも一方が透明又は半透明である一対の電極間に挾持された複数の有機化合物層より構成される有機電界発光素子において、複数の前記有機化合物層の少なくとも一層が、少なくとも１種の正孔輸送性高分子に電子輸送性材料を混合した正孔輸送層であり、複数の前記有機化合物層の少なくとも一層が発光性材料を含有し、前記正孔輸送性高分子が、一般式（ＩＩ）、（ＩＩＩ）、（ＩＶ）及び（Ｖ）のいずれかで表される繰り返し構造から選択される何れかを含む有機電界発光素子である。
【化１】
2007201407.tif 000005
［上記一般式（ＩＩ）、（ＩＩＩ）、（ＩＶ）、及び（Ｖ）中、Ａは、下記一般式（Ｉ-１）又は（Ｉ-２）を表わし、Ｂは−Ｏ−(Ｙ’−Ｏ)ｍ’−、またはＺ’を示し、Ｙ、Ｙ’、Ｚ、及びＺ’は２価の炭化水素基を表わし、ｍ、及びｍ’は１〜５の整数、ｎは０または１を表わし、ｐは５〜５００の整数、ｑは１〜５０００の整数、ｒは１〜３５００の整数をそれぞれ表す。］
【化２】
2007201407.tif 000006
[一般式（Ｉ−１）及び（Ｉ−２）中、Ａｒは置換もしくは未置換の芳香環数１〜１０の１価の多核芳香環、または、置換もしくは未置換の芳香環数２〜１０の１価の縮合芳香環を表し、Ｘは置換または未置換の２価の芳香族基を示し、ｋ、ｌはそれぞれ０又は１を示し、Ｔは炭素数１〜１０の直鎖状の２価の炭化水素基または炭素数１〜１０の分枝状の２価の炭化水素基を示す。]
【手続補正３】
【補正対象書類名】明細書
【補正対象項目名】００１１
【補正方法】変更
【補正の内容】
【００１１】
（２）少なくとも一方が透明又は半透明である一対の電極間に挾持された複数の有機化合物層より構成される有機電界発光素子において、複数の前記有機化合物層の少なくとも一層が、少なくとも一種の電子輸送性材料に正孔輸送性高分子を混合した電子輸送層であり、複数の前記有機化合物層の少なくとも一層が発光性材料を含有し、
前記正孔輸送性高分子が、下記一般式（ＩＩ）、（ＩＩＩ）、（ＩＶ）及び（Ｖ）のいずれかで表される繰り返し構造から選択される何れかを含む有機電界発光素子である。
【化３】
2007201407.tif 000007
［上記一般式（ＩＩ）、（ＩＩＩ）、（ＩＶ）、及び（Ｖ）中、Ａは、下記一般式（Ｉ-１）又は（Ｉ-２）を表わし、Ｂは−Ｏ−(Ｙ’−Ｏ)ｍ’−、またはＺ’を示し、Ｙ、Ｙ’、Ｚ、及びＺ’は２価の炭化水素基を表わし、ｍ、及びｍ’は１〜５の整数、ｎは０または１を表わし、ｐは５〜５００の整数、ｑは１〜５０００の整数、ｒは１〜３５００の整数をそれぞれ表す。］
【化４】
2007201407.tif 000008
[一般式（Ｉ−１）及び（Ｉ−２）中、Ａｒは置換もしくは未置換の芳香環数１〜１０の１価の多核芳香環、または、置換もしくは未置換の芳香環数２〜１０の１価の縮合芳香環を表し、Ｘは置換または未置換の２価の芳香族基を示し、ｋ、ｌはそれぞれ０又は１を示し、Ｔは炭素数１〜１０の直鎖状の２価の炭化水素基または炭素数１〜１０の分枝状の２価の炭化水素基を示す。]
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
（３）前記電子輸送性材料が前記発光性材料である上記（１）に記載の有機電界発光素子である。
【手続補正７】
【補正対象書類名】明細書
【補正対象項目名】００１５
【補正方法】変更
【補正の内容】
【００１５】
（４）前記発光性材料が発光性高分子である上記（１）に記載の有機電界発光素子である。
【手続補正８】
【補正対象書類名】明細書
【補正対象項目名】００１６
【補正方法】変更
【補正の内容】
【００１６】
（５）前記電子輸送性材料が電子輸送性高分子である上記（１）に記載の有機電界発生素子である。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】変更
【補正の内容】
【００２３】
（６）前記発光性材料がπ共役系高分子である上記（１）に記載の有機電界発光素子である。
【手続補正１６】
【補正対象書類名】明細書
【補正対象項目名】００２４
【補正方法】変更
【補正の内容】
【００２４】
（７）前記電子輸送性材料が前記発光性材料であることを特徴とする上記（２）に記載の有機電界発光素子である。
【手続補正１７】
【補正対象書類名】明細書
【補正対象項目名】００２５
【補正方法】変更
【補正の内容】
【００２５】
（８）前記発光性材料が発光性高分子であることを特徴とする上記（２）に記載の有機電界発光素子である。
（９）前記電子輸送性材料が電子輸送性高分子であることを特徴とする上記（２）に記載の有機電界発生素子である。
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】変更
【補正の内容】
【００３２】
（１０）前記発光性材料がπ共役系高分子であることを特徴とする上記（２）に記載の有機電界発光素子である。